(57)【要約】【課題】  １つの巻上機で複数の乗りかごを駆動させるエレベーター装置について、省スペース化を可能としたエレベーター装置を提供する。【解決手段】  ガイドレールに沿って昇降する複数の乗りかご２，３と、この複数の乗りかご２，３を連結する主索５と、この主索５が巻き掛けられた駆動シーブ１２と、この駆動シーブ１２が取付けられた巻上機１１を備えたエレベーター装置において、前記巻上機１１の鉛直投影が、前記複数の乗りかご２，３の鉛直投影の間に位置すると共に、前記複数の乗りかご２，３のいずれかが最上階にあるとき、その乗りかごの上端よりも低い位置に前記巻上機１１の下端を設置した。【選択図】図１
2005324919.tif 000002
【特許請求の範囲】
【請求項１】
ガイドレールに沿って昇降する複数の乗りかごと、この複数の乗りかごを連結する主索と、この主索が巻き掛けられた駆動シーブと、この駆動シーブが取付けられた巻上機を備えたエレベーター装置において、前記巻上機の鉛直投影が、前記複数の乗りかごの鉛直投影の間に位置すると共に、前記複数の乗りかごのいずれかが最上階にあるとき、その乗りかごの上端よりも低い位置に前記巻上機の下端が設置されていることを特徴とするエレベーター装置。
【請求項２】
ガイドレールに沿って昇降する２つの乗りかごと、この２つの乗りかごを連結する主索と、この主索が巻き掛けられた駆動シーブと、この駆動シーブが取付けられた巻上機を備え、前記２つの乗りかごを１つの巻上機で駆動させるエレベーター装置において、前記巻上機の鉛直投影が、前記２つの乗りかごの鉛直投影の間に位置すると共に、前記２つの乗りかごのいずれかが最上階にあるとき、その乗りかごの上端よりも低い位置に前記巻上機の上端が設置されていることを特徴とするエレベーター装置。
【請求項３】
請求項１または２のいずれかにおいて、前記巻上機は、胴長型または薄型の巻上機であることを特徴とするエレベーター装置。
【請求項４】
請求項１乃至３のいずれかにおいて、前記巻上機は台座によって支持されており、前記台座は、前記ガイドレールと、前記乗りかごの鉛直投影と重ならない位置に設けられた部材によって、高さ方向に調整可能に固定されていることを特徴とするエレベーター装置。
【発明の詳細な説明】
【技術分野】
【０００１】
本発明は、エレベーター装置に係り、特に、１つの巻上機で複数の乗りかごを駆動させるエレベーター装置に関するものである。
【背景技術】
【０００２】
従来から、乗りかご２台分の昇降路内に１つの巻上機を設置し、その巻上機の両端に乗りかごを配し、これら２つの乗りかごを主索により連結させて駆動するエレベーター装置が提案されている。例えば、下記特許文献１には、巻上機や、エレベーター主索をガイドする返し車を機械室に配置し、巻上機の両端に連結した２つの乗りかごを駆動するエレベーター装置が記載されている。
【０００３】
【特許文献１】特開２０００−３８２６９号公報
【発明の開示】
【発明が解決しようとする課題】
【０００４】
しかしながら、従来のエレベーター装置では、２台の乗りかごを駆動する巻上機や、エレベーター主索をガイドする返し車を機械室に配置しているため、エレベーター装置の設置スペースが大きくなってしまっていた。
【０００５】
本発明の目的は、１つの巻上機で複数の乗りかごを駆動させるエレベーター装置について、省スペース化を可能としたエレベーター装置を提供することにある。
【課題を解決するための手段】
【０００６】
上記目的を達成するために、本発明は、ガイドレールに沿って昇降する複数の乗りかごと、この複数の乗りかごを連結する主索と、この主索が巻き掛けられた駆動シーブと、この駆動シーブが取付けられた巻上機を備えたエレベーター装置において、前記巻上機の鉛直投影が、前記複数の乗りかごの鉛直投影の間に位置すると共に、前記複数の乗りかごのいずれかが最上階にあるとき、その乗りかごの上端よりも低い位置に前記巻上機の下端を設置した。
【発明の効果】
【０００７】
本発明によれば、１つの巻上機で複数の乗りかごを駆動させるエレベーター装置について、省スペース化を可能としたエレベーター装置を提供することができる。
【発明を実施するための最良の形態】
【０００８】
以下、本発明の実施例について、図面に基づいて説明する。
【０００９】
図１は、本発明の第１の実施例を示すエレベーター装置の全体構成図である。本実施例のエレベーター装置は、互いに平行にガイドレールに沿って昇降する２つの乗りかご２，３と、この乗りかご２，３を連結する主索５と、この主索５が巻き掛けられた駆動シーブ１２と、この駆動シーブ１２が取付けられた胴長型の巻上機１１を備えている。
【００１０】
具体的には、図１に示す通り、２台併設されたエレベーター昇降路１の出入口側から向かって左側の最上階フロアレベルに乗りかご３が配置される一方、出入口側から向かって右側の最下階フロアレベルに乗りかご２が配置されている。また、この昇降路１の頂部付近に乗りかご２を懸垂するビーム４ａが設けられ、そのビーム４ａに主索５の端部を固定するロープヒッチ６ａが取付けられている。そして、主索５は、ロープヒッチ６ａから乗りかご３の床下に設けられた綱車７ａ及び７ｂを通り、乗りかご２及び乗りかご３の間の昇降路１頂部に設けたビーム８ａに取付けられた返し車９ａ，１０ａを経由して、固定台座で支持された巻上機１１の駆動シーブ１２に至る。更に、この主索５は、折り返すように昇降路１頂部に設けたビーム８ｂに取付けられた返し車１０ｂ，９ｂを経由して、乗りかご２の床下に設けられた綱車１３ａ及び１３ｂを通り、乗りかご２を懸垂するためのビーム４ｂのロープヒッチ６ｂに至る。
【００１１】
ここで、上記の状態から乗りかご２が上方へ移動するように巻上機１１を駆動すると、乗りかご３が下方へ移動することになり、１つの巻上機で同一の昇降路内に設けた２つの乗りかごを移動させることができる。したがって、２つの巻上機で２つの乗りかごを移動させる場合に比べて、省エネルギーの効果が期待できる。また、つり合いおもりが不要となるので、その分、乗りかごの面積を大きくでき、輸送能力の向上につながる。
【００１２】
次に、図２は、第１の実施例を示すエレベーター装置の平面図である。図２に示す通り、昇降路１内で、乗りかご２，３の鉛直投影と重ならない位置に、巻上機固定用部材１６，１７が配置され、乗りかご３ガイド用のガイドレール１４と巻上機固定用部材１６に、また乗りかご２ガイド用のガイドレール１５と巻上機固定用部材１７に、それぞれ、ビームなどを渡すことにより、巻上機１１の固定台座が設けられる。
【００１３】
上記構成によれば、巻上機１１は、巻上機固定用部材１６，１７により、昇降路の上部から下部までの高さ方向について、巻上機や制御装置を調整可能に固定することができ、据付け性や保守性を考慮した最善の配置を選択できる。
【００１４】
また、巻上機１１の鉛直投影が、併設した２つのエレベーター昇降路１内にある乗りかご２，３の鉛直投影の間のスペースに位置すると共に、乗りかご２，３のいずれかが最上階にあるとき、その乗りかごの上端よりも低い位置に巻上機１１の上端が設置されている。したがって、昇降路１の高さ方向に巻上機１１等が出張ることはなくなり、省スペース化が可能になる。尚、乗りかご２，３のいずれかが最上階にあるとき、その乗りかごの上端よりも低い位置に、巻上機の少なくとも下端が設置されていれば、省スペース化の効果が生じる。
【００１５】
更に、本実施例では、巻上機１１として、胴長型のものを用い、この巻上機１１を乗りかご２，３の鉛直投影の間の余分なスペースに配置したので、昇降路１の面積に対する乗りかご２，３の面積の割合を大きく保つことができ、輸送能力も十分に確保できる。
【００１６】
図３は、本発明の第２の実施例を示すエレベーター装置の全体構成図である。本実施例は、第１の実施例における巻上機１１の向きを水平方向１８０度転換し、昇降路１頂部のビーム８ａ，８ｂ及び、返し車９ａ，９ｂ，１０ａ，１０ｂを廃したエレベーター装置である。
【００１７】
具体的には、昇降路１の頂部付近に乗りかご２を懸垂するビーム４ａが設けられ、そのビーム４ａに主索５の端部を固定するロープヒッチ６ａが取付けられている。そして、主索５は、ロープヒッチ６ａから乗りかご３の床下に設けられた綱車７ａ及び７ｂを通り、固定台座で支持された巻上機１１の駆動シーブ１２に至る。更に、この主索５は、折り返すように乗りかご２の床下に設けられた綱車１３ａ及び１３ｂを通り、昇降路１頂部に設けた乗りかご２を懸垂するためのビーム４ｂのロープヒッチ６ｂに至る。
【００１８】
ここで、上記の状態から乗りかご２が上方へ移動するように巻上機１１を駆動すると、乗りかご３が下方へ移動することになり、１つの巻上機で同一の昇降路内に設けた２つの乗りかごを移動させることができる。
【００１９】
次に、図４は、第２の実施例を示すエレベーター装置の平面図である。図４に示す通り、昇降路１内で、乗りかご２，３の鉛直投影と重ならない位置に、巻上機固定用部材１６，１７が配置され、乗りかご３ガイド用のガイドレール１４と巻上機固定用部材１６に、また乗りかご２ガイド用のガイドレール１５と巻上機固定用部材１７に、それぞれ、ビームなどを渡すことにより、巻上機１１の固定台座が設けられる。
【００２０】
本実施例によれば、第１の実施例と同等以上の効果を得ることができる。
【００２１】
以上の実施例は、２つの乗りかごからなるエレベーター装置であるが、３つ以上の乗りかごからなるエレベーター装置について、隣接する乗りかごの鉛直投影の間に巻上機を配置したものでも構わない。また、胴長型の巻上機の代わりに、駆動シーブと一体となった薄型の巻上機を利用しても良い。
【図面の簡単な説明】
【００２２】
【図１】本説明の第１の実施例を示すエレベーター装置の全体構成図である。
【図２】本発明の第１の実施例のエレベーター装置の水平方向断面図である。
【図３】本説明の第２の実施例を示すエレベーター装置の全体構成図である。
【図４】本発明の第２の実施例のエレベーター装置の水平方向断面図である。
【符号の説明】
【００２３】
１…昇降路、２，３…乗りかご、４ａ，４ｂ…懸垂用ビーム、５…主策、６ａ，６ｂ…ロープヒッチ、７ａ，７ｂ，１３ａ，１３ｂ…綱車、８ａ，８ｂ…返し車用ビーム、９ａ，９ｂ，１０ａ，１０ｂ…返し車、１１…巻上機、１２…駆動シーブ、１４，１５…乗りかご用ガイドレール、１６，１７…巻上機固定用部材。
【図１】
2005324919.tif 000003
【図２】
2005324919.tif 000004
【図３】
2005324919.tif 000005
【図４】
2005324919.tif 000006